(57)【要約】  本発明の課題は、配線器具のサイズを小型化できる配線器具を提供することである。配線器具は、ハウジングと、電子モジュール（２、３）と、を備える。ハウジングは、ボディ（１１）と、ボディ（１１）と共に収容空間（１０）を形成するカバー（１２）とを備える。ボディ（１１）は、ベースと、ラグ（１４、１５）と、を有する。ラグ（１４、１５）は、それぞれベースからカバー（１２）に延伸して且つ互いに間隔をあけるように配置される。ラグ（１４）は、所定の方向（Ｄ）に沿って延伸したガイド部が形成されている。カバー（１２）は、挿通孔（１２１ａ）が開口されたカバー本体（１２１）を有する。電子モジュール（２）は、ラグ（１４、１５）で支持された第１の回路基板（２１）と、外部機器の端子が接続するコネクタ（２２）と、を備える。電子モジュール（３）は、ガイド部でベース内に位置決められた第２の回路基板（３１）を備える。
2020158781.tif 000002
【特許請求の範囲】
【請求項１】
ハウジング（１）と、第１の電子モジュール（２）と、第２の電子モジュール（３）と、を備えている配線器具（１００）であって、
前記ハウジング（１）は、開口を有するボディ（１１）と、前記ボディ（１１）の前記開口を、該開口に向かう所定の方向（Ｄ）から覆って前記ボディ（１１）と共に収容空間（１０）を形成しているカバー（１２）と、を備えており、
前記ボディ（１１）は、ベース（１３）と、第１のラグ（１４）と、第２のラグ（１５）と、を有しており、
前記ベース（１３）は、前記所定の方向（Ｄ）において前記カバー（１２）と当接している第１の接合縁（１３５）を有しており、
前記第１のラグ（１４）は、前記ベース（１３）から前記所定の方向（Ｄ）において前記カバー（１２）の方へ延伸して前記第１の接合縁（１３５）を超えるように突出しており、且つ、側縁に前記所定の方向（Ｄ）に沿って延伸しているガイド部（１４１）を有しており、
前記第２のラグ（１５）は、前記ベース（１３）から前記所定の方向（Ｄ）において前記カバー（１２）の方へ延伸して前記第１の接合縁（１３５）を超えるように突出しており、且つ、前記第１のラグ（１４）と間隔をあけており、
前記カバー（１２）は、外部と前記収容空間（１０）とを連通している挿通孔（１２１ａ）が開口されているカバー本体（１２１）を有しており、
前記第１の電子モジュール（２）は、前記収容空間（１０）内に配置されており、且つ、法線方向が前記所定の方向（Ｄ）と平行するように、前記第１のラグ（１４）及び前記第２のラグ（１５）により支持されている第１の回路基板（２１）と、前記第１の回路基板（２１）の上に前記挿通孔（１２１ａ）に対応するように設けられていて外部機器の端子が前記挿通孔（１２１ａ）を通して接続することができるコネクタ（２２）と、を備えており、
前記第２の電子モジュール（３）は、前記収容空間（１０）内に配置されて前記第１の電子モジュール（２）と電気的に接続されており、且つ、前記第１の回路基板（２１）と直交するように配置されていると共に前記ガイド部（１４１）により前記ベース（１３）内に案内されて且つ位置決めされている第２の回路基板（３１）を備えている、
ことを特徴とする配線器具（１００）。
【請求項２】
前記ベース（１３）には、前記第２の回路基板（３１）を位置決めするよう、前記第１のラグ（１４）の前記ガイド部（１４１）に対応すると共に、前記所定の方向（Ｄ）に沿って延伸して前記第２の回路基板（３１）の縁側と係合している第１の位置決め溝（１３９）が凹設されている、
ことを特徴とする請求項１に記載の配線器具（１００）。
【請求項３】
前記ボディ（１１）は、前記第１のラグ（１４）及び前記ベース（１３）と連接している第１の補強リブ（１６）を更に備えている、
ことを特徴とする請求項１に記載の配線器具（１００）。
【請求項４】
前記第１のラグ（１４）及び前記第２のラグ（１５）は、前記第１の接合縁（１３５）の内側に位置しており、
前記第１の補強リブ（１６）は、前記第１の接合縁（１３５）から延伸していると共に、前記第１のラグ（１４）の外表面と連接しており、
前記ボディ（１１）は、前記第１の接合縁（１３５）から延伸していると共に、前記第２のラグ（１５）の外表面と連接している第２の補強リブ（１７）を更に備えており、
前記カバー本体（１２１）は、前記第１の接合縁（１３５）と当接していると共に、それぞれ前記第１の補強リブ（１６）及び前記第２の補強リブ（１７）と係合するように凹設されている２つの差込溝（１２１ｃ）を有する第２の接合縁（１２１ｂ）を更に備えている、
ことを特徴とする請求項３に記載の配線器具（１００）。
【請求項５】
前記ボディ（１１）は、それぞれ前記第１のラグ（１４）及び前記第２のラグ（１５）の頂面に凹設されている２つの係合溝（１８）を更に有しており、
前記第１の回路基板（２１）は、メイン基板（２１１）と、それぞれ前記メイン基板（２１１）の両サイドから前記２つの係合溝（１８）と係合するように突出している２つの係合ブロック（２１２）と、有している、
ことを特徴とする請求項１に記載の配線器具（１００）。
【請求項６】
前記カバー（１２）は、前記カバー本体（１２１）から前記所定の方向（Ｄ）に沿って前記ボディ（１１）の方に向かって突出している少なくとも１つの静電防止リブ（１２４）を備えており、
前記ボディ（１１）には、前記少なくとも１つの静電防止リブ（１２４）に対応して前記少なくとも１つの静電防止リブ（１２４）の先端部を収容している少なくとも１つの収容溝（１３１ａ）が更に形成されている、
ことを特徴とする請求項１に記載の配線器具（１００）。
【請求項７】
前記カバー本体（１２１）は、内表面に前記少なくとも１つの静電防止リブ（１２４）が形成されている第１のカバー側壁（１２６）と、前記第１のカバー側壁（１２６）と間隔をあけて配置されている第２のカバー側壁（１２７）と、それぞれ前記第１のカバー側壁（１２６）及び前記第２のカバー側壁（１２７）と共に包囲壁になるように前記第１のカバー側壁（１２６）及び前記第２のカバー側壁（１２７）と隣接している２つのカバー接続壁（１２８）と、前記第１のカバー側壁（１２６）と前記第２のカバー側壁（１２７）と前記２つのカバー接続壁（１２８）とのそれぞれの一側に隣接していると共に、前記挿通孔（１２１ａ）が開口されている頂壁（１２９）と、を備えており、
前記ベース（１３）は、前記第１のカバー側壁（１２６）に対応していると共に、前記少なくとも１つの収容溝（１３１ａ）が凹設されている第１のボディ側壁（１３１）と、前記第２のカバー側壁（１２７）に対応している第２のボディ側壁（１３２）と、前記２つのカバー接続壁（１２８）に対応している第１のボディ接続壁（１３３）及び第２のボディ接続壁（１３４）と、を有しており、
前記第２の回路基板（３１）は、前記収容空間（１０）内に前記第１のボディ側壁（１３１）に近接するように配置されており、
前記第１のラグ（１４）は、前記第１のボディ接続壁（１３３）と連接している一方、前記第２のラグ（１５）は、前記第２のボディ接続壁（１３４）と連接している、
ことを特徴とする請求項６に記載の配線器具（１００）。
【請求項８】
前記ベース（１３）の前記第１のボディ接続壁（１３３）には、前記第２の回路基板（３１）を位置決めするよう、前記第１のラグ（１４）の前記ガイド部（１４１）に対応していると共に、前記所定の方向（Ｄ）に沿って延伸して前記第２の回路基板（３１）の縁側と係合している第１の位置決め溝（１３９）が凹設されている、
ことを特徴とする請求項７に記載の配線器具（１００）。
【請求項９】
前記ベース（１３）は、前記第１のボディ接続壁（１３３）及び前記第２のボディ接続壁（１３４）の間で、両端がそれぞれ前記第１のボディ側壁（１３１）及び前記第２のボディ側壁（１３２）に連接している仕切り壁（１３６）を更に備え、前記仕切り壁（１３６）により、前記第１のボディ接続壁（１３３）に隣接している上、前記第２の電子モジュール（３）を収容している第１の収納部（１３７）と、前記第２のボディ接続壁（１３４）に隣接している第２の収納部（１３８）と、が形成されており、
前記仕切り壁（１３６）の前記第１のボディ接続壁（１３３）に面する表面には、前記第１の位置決め溝（１３９）に対向している第２の位置決め溝（１３９´）が凹設されており、
前記第１の位置決め溝（１３９）及び前記第２の位置決め溝（１３９´）は、それぞれ前記第２の回路基板（３１）の両側の縁側と係合して前記第２の回路基板（３１）を位置決めしている、
ことを特徴とする請求項８に記載の配線器具（１００）。
【請求項１０】
前記第２の収納部（１３８）内に収容されていると共に、前記第２の電子モジュール（３）と電気的に接続されており、且つ、前記仕切り壁（１３６）により支持されていて前記第１の回路基板（２１）と略平行するように配置されている第３の回路基板（４１）を有する第３の電子モジュール（４）を更に備えており、
前記カバー本体（１２１）は、前記第１の接合縁（１３５）と当接している第２の接合縁（１２１ｂ）を更に備えており、
前記カバー（１２）は、それぞれ前記第１のカバー側壁（１２６）及び前記第２のカバー側壁（１２７）に形成され、且つ、前記第１の回路基板（２１）に当接している複数の第１の押さえリブ（１２２）と、前記所定の方向（Ｄ）に沿って延伸していて、先端が前記第２の接合縁（１２１ｂ）を超えるように突出して前記第３の回路基板（４１）に当接している複数の第２の押さえリブ（１２３）と、を更に備えている、
ことを特徴とする請求項９に記載の配線器具（１００）。
【請求項１１】
前記第１の回路基板（２１）には、それぞれ前記複数の第２の押さえリブ（１２３）と係合している複数の切り込み（２１３）が形成されている、
ことを特徴とする請求項１０に記載の配線器具（１００）。
【発明の詳細な説明】
【技術分野】
【０００１】
本発明は、配線器具に関し、具体的には、電源端子を接続するための配線器具に関する。
【背景技術】
【０００２】
現在、数多くのモバイル電子装置は、ユニバーサルシリアルバス（Universal Serial Bus、以下、ＵＳＢと略称）を用いてデータの転送、電力の供給、バッテリーの充電などを行なう。【０００３】
特許文献１及び特許文献２には、ＵＳＢプラグを接続するＵＳＢソケットを備えた配線器具が開示されている。【０００４】
しかしながら、特許文献１及び特許文献２に記載された従来の配線器具は、回路基板を支持するための支持部材を別に設けることで、ハウジングに関する高い寸法精度を必要としないという利点があるが、支持部材が存在することで、軽量化及び小型化が困難である。そのため、従来の配線器具の構成には改善の余地がある。
【先行技術文献】
【特許文献】
【０００５】
【特許文献１】特開２０１８−１１３２３９号公報
【特許文献２】特開２０１８−１１３２４０号公報
【発明の概要】
【０００６】
本発明は上記問題点に鑑みて、上記欠点を解決できる配線器具を提供することを目的とする。
【０００７】
上記目的を達成すべく、本発明は以下の配線器具を提供する。
【０００８】
即ち、ハウジングと、第１の電子モジュールと、第２の電子モジュールと、を備えている配線器具であって、前記ハウジングは、開口を有するボディと、前記ボディの前記開口を、該開口に向かう所定の方向から覆って前記ボディと共に収容空間を形成しているカバーと、を備えており、前記ボディは、ベースと、第１のラグと、第２のラグと、を有しており、前記ベースは、前記所定の方向において前記カバーと当接している第１の接合縁を有しており、前記第１のラグは、前記ベースから前記所定の方向において前記カバーの方へ延伸して前記第１の接合縁を超えるように突出しており、且つ、側縁に前記所定の方向に沿って延伸しているガイド部を有しており、前記第２のラグは、前記ベースから前記所定の方向において前記カバーの方へ延伸して前記第１の接合縁を超えるように突出しており、且つ、前記第１のラグと間隔をあけており、前記カバーは、外部と前記収容空間とを連通している挿通孔が開口されているカバー本体を有しており、前記第１の電子モジュールは、前記収容空間内に配置されており、且つ、法線方向が前記所定の方向と平行するように、前記第１のラグ及び前記第２のラグにより支持されている第１の回路基板と、前記第１の回路基板の上に前記挿通孔に対応するように設けられていて外部機器の端子が前記挿通孔を通して接続することができるコネクタと、を備えており、前記第２の電子モジュールは、前記収容空間内に配置されている上、前記第１の電子モジュールと電気的に接続されており、且つ、前記第１の回路基板と直交するように配置されていると共に前記ガイド部により前記ベース内に案内されて且つ位置決めされている第２の回路基板を備えている配線器具を提供する。
【図面の簡単な説明】
【０００９】
【図１】図１は、本発明の一実施形態に係る配線器具の斜視図である。
【図２】図２は、同上の配線器具の分解斜視図である。
【図３】図３は、同上の配線器具の分解斜視図である。
【図４】図４は、同上の配線器具が備えるハウジングの分解斜視図である。
【図５】図５は、同上の配線器具が備えるボディの斜視図である。
【図６】図６は、同上の配線器具において、静電防止リブの先端部が収容溝に収容されている状態が示される側面断面図である。
【図７】図７は、同上の配線器具において、第１の押さえリブが第１の回路基板に当接している状態が示される上面断面図である。
【図８】図８は、同上の配線器具において、第１の押さえリブが第１の回路基板に当接している状態が示される側面断面図である。
【図９】図９は、同上の配線器具において、第２の回路基板及び第３の回路基板がボディに取り付けられた状態が示される斜視図である。
【図１０】図１０は、同上の配線器具において、第２の回路基板がガイド部に取り付けられた状態が示される側面断面図である。
【図１１】図１１は、同上の配線器具において、第２の押さえリブが第３の回路基板に当接している状態が示される上面断面図である。
【図１２】図１２は、同上の配線器具において、第２の押さえリブが第３の回路基板に当接している状態が示される側面断面図である。
【発明を実施するための形態】
【００１０】
本発明に係る配線器具１００は、例えば、ＵＳＢケーブルの先端に設けられたＵＳＢプラグを接続するためのＵＳＢコンセントに適用されるものである。配線器具１００は、ＵＳＢケーブルと電気的に接続されているモバイル電子装置（例えば、スマートフォン、デジタルオーディオプレーヤー、ノートパソコンなど）に対して電力供給又はそれら電子装置のバッテリーの充電を実行することができる。
【００１１】
以下、本発明の一実施形態に係る配線器具１００（以下、単に「配線器具１００」ともいう）について図面を参照して説明する。
【００１２】
図１〜図６を参照して配線器具１００を説明する。ここで、図１は配線器具１００の斜視図であり、図２及び図３は配線器具１００の分解斜視図である。
【００１３】
また、図４は配線器具１００が備えるハウジング１の分解斜視図であり、図５は配線器具１００が備えるボディ１１の斜視図であり、図６は配線器具１００において静電防止リブ１２４の先端部が収容溝１３１ａに収容されている状態が示される側面断面図である。
【００１４】
配線器具１００は、図１〜図３に示されるように、ハウジング１と、第１の電子モジュール２と、第２の電子モジュール３と、第３の電子モジュール４と、を備えている。
【００１５】
ハウジング１は、図４及び図５に示されるように、ボディ１１と、カバー１２と、を備えている。ボディ１１は、一面に開口を有する箱状である。カバー１２は、ボディ１１の開口を、該開口に向かう（該開口を含む仮想面と交差する）所定の方向Ｄから覆ってボディ１１と共に収容空間１０を形成する。
【００１６】
ボディ１１は、ベース１３と、第１の支持部１１１と、第２の支持部１１２と、第１の補強リブ１６と、第２の補強リブ１７と、を備えている。
【００１７】
ベース１３は、図４及び図５に示されるように、第１のボディ側壁１３１と、第２のボディ側壁１３２と、第１のボディ接続壁１３３と、第２のボディ接続壁１３４と、を有している。詳しく言うと、ベース１３は、直方体状であり、第１のボディ側壁１３１と第２のボディ側壁１３２と第１のボディ接続壁１３３と第２のボディ接続壁１３４とが包囲壁を構成し、且つ、該包囲壁における所定の方向Ｄにおいて上記開口を形成していると共に、カバー１２と当接する第１の接合縁１３５を有している。
【００１８】
第１の支持部１１１は、図４及び図５に示されるように、第１のラグ１４と、第２のラグ１５と、を有している。第１のラグ１４及び第２のラグ１５は、互いに間隔をあけるように配置されていると共に、ベース１３から所定の方向Ｄにおいてカバー１２の方へ延伸して第１の接合縁１３５を超えるように突出している。
【００１９】
より具体的に言うと、第１のラグ１４及び第２のラグ１５は、所定の方向Ｄと直交する方向において第１の接合縁１３５の内側に位置していると共に、第１のラグ１４が、第１のボディ接続壁１３３と連接し、第２のラグ１５が、第２のボディ接続壁１３４と連接している。
【００２０】
なお、本実施形態では、第１のラグ１４及び第２のラグ１５は、図４及び図５に示されるように、第１の接合縁１３５を越えるように突出している部分の形状が略台形であり、第１の接合縁１３５に近い側を下底、第１の接合縁１３５から離れた端縁を上底とすると、下底が上底よりも長いように形成されている。さらに、第１のラグ１４及び第２のラグ１５には、それぞれの上底の頂面（端面）において形状及び位置が互いに対応している係合溝１８が凹設されている。
【００２１】
また、第２のラグ１５は、下底の両端にある２つの底角がそれぞれ第１のボディ側壁１３１及び第２のボディ側壁１３２に近づくように対称的且つ斜めに構成されている。一方、第１のラグ１４は、第１のボディ側壁１３１に近い側縁に所定の方向Ｄに沿って延伸しているガイド部１４１を有している。また、第１のラグ１４は、他側の側縁が第２のラグ１５の第２のボディ側壁１３２に近い側縁と対応していると共に、底角が第２のボディ側壁１３２に近づくように斜めに構成されている。
【００２２】
ボディ１１が備える第１の補強リブ１６と第２の補強リブ１７とは、それぞれ第１のラグ１４及び第２のラグ１５の構造強度を高めるように構成されているものである。具体的には、第１の補強リブ１６は、図５に示されるように、第１のボディ接続壁１３３における第１の接合縁１３５から延伸していると共に、第１のラグ１４の外表面と連接することにより、第１のラグ１４とベース１３とを接続している。また、第２の補強リブ１７は、図４に示されるように、第２のボディ接続壁１３４における第１の接合縁１３５から延伸していると共に、第２のラグ１５の外表面と連接することにより、第２のラグ１５とベース１３とを接続している。
【００２３】
第２の支持部１１２は、図４及び図５に示されるように、仕切り壁１３６を有している。仕切り壁１３６は、収容空間１０内に配置されており、且つ、第１のボディ接続壁１３３及び第２のボディ接続壁１３４の間で、両端がそれぞれ第１のボディ側壁１３１及び第２のボディ側壁１３２に連接している。収容空間１０には、仕切り壁１３６に仕切られることで、第１のボディ接続壁１３３に隣接して第２の電子モジュール３を収容している第１の収納部１３７と、第２のボディ接続壁１３４に隣接している第２の収納部１３８と、が形成されている。
【００２４】
なお、ベース１３の第１のボディ接続壁１３３には、図４に示されるように、第１の位置決め溝１３９が凹設されている。第１の位置決め溝１３９は、第２の回路基板３１を位置決めするよう、第１のラグ１４のガイド部１４１に対応していると共に、所定の方向Ｄに沿って延伸して第２の回路基板３１の縁側と係合している。一方、仕切り壁１３６の第１のボディ接続壁１３３に面する表面には、第１の位置決め溝１３９に対向している第２の位置決め溝１３９´が凹設されている。
【００２５】
カバー１２は、図３及び図４に示されるように、カバー本体１２１と、複数の第１の押さえリブ１２２と、複数の第２の押さえリブ１２３と、少なくとも１つの静電防止リブ１２４と、一対の組立片１２５と、を備えている。
【００２６】
カバー本体１２１は、図３及び図４に示されるように、第１のカバー側壁１２６と、第２のカバー側壁１２７と、２つのカバー接続壁１２８と、頂壁１２９と、を備えている。第１のカバー側壁１２６は、第１のボディ側壁１３１に対応している。第２のカバー側壁１２７は、第１のカバー側壁１２６と間隔をあけて配置されていると共に、第２のボディ側壁１３２に対応している。２つのカバー接続壁１２８は、それぞれ第１のボディ接続壁１３３及び第２のボディ接続壁１３４に対応していると共に、第１のカバー側壁１２６及び第２のカバー側壁１２７と共に包囲壁を構成するように第１のカバー側壁１２６及び第２のカバー側壁１２７と隣接している。頂壁１２９は、第１のカバー側壁１２６と第２のカバー側壁１２７と２つのカバー接続壁１２８とのそれぞれの一側に隣接していると共に、外部と収容空間１０とを連通している挿通孔１２１ａが開口されている。
【００２７】
なお、カバー本体１２１は、図３及び図４に示されるように、第２の接合縁１２１ｂを更に備えている。第２の接合縁１２１ｂは、ベース１３の第１の接合縁１３５と当接していると共に、それぞれ第１の補強リブ１６及び第２の補強リブ１７と係合するように凹設されている２つの差込溝１２１ｃを有する。このような第１の補強リブ１６と第２の補強リブ１７と２つの差込溝１２１ｃとの構成によって、第１のラグ１４及び第２のラグ１５の構造強度を向上させることができるだけではなく、ハウジング１全体の外観をも向上させることができる。
【００２８】
複数の第１の押さえリブ１２２及び複数の第２の押さえリブ１２３は、図４に示されるように、それぞれ第１のカバー側壁１２６及び第２のカバー側壁１２７の表面に形成されていて、収容空間１０内に位置する。また、複数の第２の押さえリブ１２３は、所定の方向Ｄに沿って延伸していて、先端が第２の接合縁１２１ｂを超えるように突出して後述する第３の電子モジュール４の第３の回路基板４１に当接している。
【００２９】
より具体的に言うと、第１の押さえリブ１２２は、一端が頂壁１２９と連接していて所定の方向Ｄに沿って延伸するように棒状に形成されている。一方、第２の押さえリブ１２３は、第１の押さえリブ１２２と同じく一端が頂壁１２９と連接していて所定の方向Ｄに沿って延伸するように棒状に形成されていると共に、他端がカバー本体１２１の第２の接合縁１２１ｂを超えるようにボディ１１に向かって突出している。
【００３０】
なお、本実施形態では、第１の押さえリブ１２２及び第２の押さえリブ１２３は、それぞれ２つずつ設けられている。勿論、ここで第１の押さえリブ１２２及び第２の押さえリブ１２３のそれぞれの数量は２つに限定されず、場合によって例えば、それぞれ１つずつ設けてもよい。
【００３１】
静電防止リブ１２４は、図４に示されるように、第１のカバー側壁１２６の内表面に形成されていると共に、カバー本体１２１から所定の方向Ｄに沿ってボディ１１の方に向かって突出している。
【００３２】
そして、ボディ１１の第１のボディ側壁１３１には、図４〜図６に示されるように、少なくとも１つの静電防止リブ１２４に対応して当該少なくとも１つの静電防止リブ１２４の先端部を収容している少なくとも１つの収容溝１３１ａが更に形成されている。
【００３３】
また、本実施形態に係る配線器具１００では、静電防止リブ１２４と収容溝１３１ａとが構成されていることで、第１のボディ側壁１３１と第１のカバー側壁１２６との接合箇所において、第１のボディ側壁１３１の最も高い部分と静電防止リブ１２４の最も低い部分が面一にならないようにすることによって、第１のボディ側壁１３１と第１のカバー側壁１２６との間に静電気が伝わりにくいようにする効果を得ることができる。それによって、配線器具１００の内にある電子部品の破損につながる静電を防止することができるのみならず、配線器具１００を組み立てる際に、静電防止リブ１２４の先端部と収容溝１３１ａとを合わせる必要があるので、ポカヨケ効果を得ることができる。
【００３４】
なお、本実施形態では、静電防止リブ１２４は２つ設けられているが、ここでそれに限定されず、少なくとも１つ設ければ、上記した効果を達することができる。
【００３５】
一対の組立片１２５は、図３及び図４に示されるように、それぞれ第１のカバー側壁１２６及び第２のカバー側壁１２７からボディ１１に向かって延伸しており、且つ、２つの組立孔１２５ａが開口されている。
【００３６】
そして、第１のボディ側壁１３１及び第２のボディ側壁１３２には、それぞれ対応する組立片１２５の２つの組立孔１２５ａと係合するための２つの係合ブロック１９が突起している。組立孔１２５ａと係合ブロック１９との係合によって、ハウジング１を組み立てた場合に、カバー１２とボディ１１とが互いに分離することが防がれる。
【００３７】
以下、図２及び図３、更に図７及び図８を参照して、配線器具１００の第１の電子モジュール２、第２の電子モジュール３、第３の電子モジュール４を説明すると共に、配線器具１００の組み立てに関し更に説明する。ここで図７は実施形態に係る第１の押さえリブ１２２が第１の回路基板２１に当接している状態が示される上面断面図であり、図８は実施形態に係る第１の押さえリブ１２２が第１の回路基板２１に当接している状態が示される側面断面図である。
【００３８】
第１の電子モジュール２は、図２及び図３に示されるように、第１の回路基板２１と、コネクタ２２と、を備えている。第１の回路基板２１は、収容空間１０内に配置されており、且つ、基板面の法線方向が所定の方向Ｄと平行するように、第１の支持部１１１（本実施形態では即ち第１のラグ１４及び第２のラグ１５）により支持されている。コネクタ２２は、第１の回路基板２１の上にカバー１２の挿通孔１２１ａに対応するように設けられている。
【００３９】
更に言うと、第１の回路基板２１は、図７及び図８に示されるように、メイン基板２１１と、２つの係合ブロック２１２と、を有している。２つの係合ブロック２１２は、それぞれメイン基板２１１の両サイドから第１のラグ１４及び第２のラグ１５の２つの係合溝１８と係合するように突出している。
【００４０】
従って、第１の回路基板２１は、２つの係合溝１８及び２つのブロック２１２が互いに係合することによってボディ１１に所定の方向Ｄと垂直する平面に位置決められていることに加え、図７及び図８に示されるように、カバー１２に形成された複数の第１の押さえリブ１２２に当接されていることによって、ハウジング１に対して所定の方向Ｄに移動しないよう固定されている。
【００４１】
更に、第１の回路基板２１は、図７に示されるように、それぞれ複数の第２の押さえリブ１２３と係合する複数の切り込み２１３が凹設されている。このような構成によって、第１の回路基板２１は所定の方向Ｄと垂直する平面に沿っても移動しないよう固定されている。
【００４２】
コネクタ２２は、図１〜図３に示されるように、挿通孔１２１ａに対応していて外部機器の端子が挿通孔１２１ａを通して接続することができる。
【００４３】
なお、本実施形態では、コネクタ２２は、ＵＳＢソケットである場合を例として説明したが、ここでそれに限定されず、用途に応じて例えば、ＨＤＭＩ（High-Definition Multimedia Interface）端子（登録商標）、ＶＧＡ（Video Graphics Array）端子（登録商標）、ＬＡＮ（Local Area Network）端子（登録商標）に変更してもよい。
【００４４】
図９及び図１０を参照する。図９は実施形態に係る第２の回路基板３１及び第３の回路基板４１がボディ１１に取り付けられた状態が示される斜視図であり、また、図１０は実施形態に係る第２の回路基板３１がガイド部１４１に取り付けられた状態が示される側面断面図である。
【００４５】
第２の電子モジュール３は、図３及び図９に示されるように、収容空間１０内に配置されていると共に、第１の電子モジュール２と電気的に接続されている。具体的には、第２の電子モジュール３は、第２の回路基板３１を備えている。第２の回路基板３１は、基板面の法線方向が第１の回路基板２１と直交しながら第１のボディ側壁１３１に近接するように配置されていると共に、ガイド部１４１によりベース１３内に案内されて且つ位置決めされている。より詳しく言うと、図９に示されるように、第２の回路基板３１は、その大部分が第１の収納部１３７内に位置し、他の一部が第２の収納部１３８内に位置している。本明細書でいう「直交」は、厳密に９０度で交わる状態だけでなく、ある程度の誤差の範囲内で略直交する状態も含む意味である。つまり、第１の回路基板２１と第２の回路基板３１との間の角度は、９０度に対してある程度の誤差（一例として１０度以下）の範囲内に収まる。本実施形態では、一例として、第１の回路基板２１と第２の回路基板３１との間の角度は９０度である。
【００４６】
なお、第２の回路基板３１には、第１の回路基板２１と溶接されている接続端子（図示せず）が設置されていて、この接続端子によって、第１の回路基板２１と第２の回路基板３１とが互いに電気的に接続されている。
【００４７】
また、図４及び図９に示されるように、第２の回路基板３１は、その両側の縁側がそれぞれ、ベース１３の第１のボディ接続壁１３３の仕切り壁１３６に面する表面に凹設された第１の位置決め溝１３９、及び、仕切り壁１３６の第１のボディ接続壁１３３に面する表面に凹設された第２の位置決め溝１３９´と係合することで位置決めされている。なお、第１の位置決め溝１３９及び第２の位置決め溝１３９´は、第２の回路基板３１をベース１３に取り付ける際に、第２の回路基板３１の両側の縁側が溝内を移動しやくするよう、幅が第２の回路基板３１の厚さよりも大きく形成されている。また、静電防止リブ１２４及び収容溝１３１ａを設置することによって、第２の回路基板３１に対するよりよい静電防止効果を期することができる。
【００４８】
以下更に、図１１及び図１２を参照する。図１１は実施形態に係る第２の押さえリブ１２３が第３の回路基板４１に当接している状態が示される上面断面図であり、また、図１２は実施形態に係る第２の押さえリブ１２３が第３の回路基板４１に当接している状態が示される側面断面図である。
【００４９】
第３の電子モジュール４は、図３及び図１１に示されるように、第３の回路基板４１と、一対の導電端子４２と、を有している。第３の回路基板４１は、収容空間１０における第２の収納部１３８内に収容されていると共に、第２の電子モジュール３と電気的に接続されており、且つ、仕切り壁１３６により支持されていて第１の回路基板２１と略平行するように配置されている。
【００５０】
第３の回路基板４１は、図３に示されるように、第２の支持部１１２により下から支持され、そして図１１に示されるように複数の第２の押さえリブ１２３が上から上面に当接することによって位置決められている。
【００５１】
なお、本実施形態では、図９に示されるように、第２の電子モジュール３の第２の回路基板３１の一部は、仕切り壁１３６を越えるように延伸して、第３の回路基板４１及び第１の回路基板２１の間に配置されている。
【００５２】
本実施形態では、一対の導電端子４２は、外部電源の導線（図示せず）が接続するためのものである。そして、一対の導電端子４２と外部電源の導線との接続方法については、特許文献１及び特許文献２に開示されている内容と同様であるので、ここでは詳しい説明を省略する。
【００５３】
第２の回路基板３１と第３の回路基板４１とは、互いに導線（図示せず）によって電気的に接続して、外部電源からの交流電力を第３の回路基板４１を経由して第２の回路基板３１に伝送する。
【００５４】
次に、第２の電子モジュール３は、外部電源からの交流電力を直流電力に変換し、変換した直流電力を第１の回路基板２１に伝送する。
【００５５】
さらに、第２の電子モジュール３は、例えば変圧器、電解コンデンサ、電気抵抗、インダクタなどの複数の電子部品３２を更に含んでいる。第１の電子モジュール２は、例えば平滑コンデンサなどの複数の電子部品２３を更に含んでおり、複数の電子部品２３によって、直流電力を平滑化して第１の電子モジュール２のコネクタ２２に伝送する。
【００５６】
なお、本実施形態では、図３に示されるように、第２の電子モジュール３の複数の電子部品３２は、第２の回路基板３１の同じ側に配置されている。一方、第１の電子モジュール２の複数の電子部品２３及びコネクタ２２は、第１の回路基板２１の同じ側に配置されている。
【００５７】
本実施形態に係る配線器具１００において、第１の支持部１１１及び複数の第１の押さえリブ１２２により第１の回路基板２１がハウジング１に対して所定の方向Ｄに沿って移動できないように位置決めされている。一方、図１１及び図１２に示されるように、第２の支持部１１２及び複数の第２の押さえリブ１２３により第３の回路基板４１がハウジング１に対して所定の方向Ｄに沿って移動できないように位置決めされている。
【００５８】
このようにして、本実施形態に係る配線器具１００は、特許文献１及び特許文献２に開示されている従来の配線器具と比べて、更なる支持部材を別に設置せずに組み立てを実行することができることで、配線器具１００のより一層の小型化及び軽量化を実現することができる。
【００５９】
以下、本実施形態に係る配線器具１００の組み立てについて説明する。
【００６０】
まず、第１の電子モジュール２と第２の電子モジュール３とを電気的に接続し且つ第２の電子モジュール３と第３の電子モジュール４とを電気的に接続する。
【００６１】
次に、第１の電子モジュール２と第２の電子モジュール３と第３の電子モジュール４とを共にボディ１１内（すなわち、収容空間１０）に設置する。
【００６２】
この際、第１のラグ１４に形成されたガイド部１４１により、第２の電子モジュール３の第２の回路基板３１が案内されるので、第２の電子モジュール３を取り付けやすくなり、加えて、第１の電子モジュール２と第３の電子モジュール４とのボディ１１への位置決めが行ないやすくなる。
【００６３】
そして、各電子モジュール２、３、４を収容したボディ１１の開口をカバー１２で覆ってから、カバー１２とボディ１１とを互いに係合させることによって、本実施形態に係る配線器具１００の組み立てが完了する。
【００６４】
総括すると、上記実施形態に係る配線器具１００は、複数の電子モジュール２、３、４の相対位置関係、及び、ハウジング１における構成によって、更なる小型化を実現することができる。また、ボディ１１及びカバー１２にそれぞれ収容溝１３１ａ及び静電防止リブ１２４を凹設且つ設置することによって、内にある電子部品の破損につながる静電を防止することができるのみならず、配線器具１００を組み立てる際に、静電防止リブ１２４の先端部と収容溝１３１ａとを合わせる必要があるので、ポカヨケ効果を得ることもできる。
【００６５】
上記においては、本発明の全体的な理解を促すべく、多くの具体的な詳細が示された。しかしながら、当業者であれば、一またはそれ以上の他の実施形態が具体的な詳細を示さなくとも実施され得ることが明らかである。
【００６６】
以上、本発明の好ましい実施形態及び変化例を説明したが、本発明はこれらに限定されるものではなく、最も広い解釈の精神および範囲内に含まれる様々な構成として、全ての修飾および均等な構成を包含するものとする。
【産業上の利用可能性】
【００６７】
本発明に係る配線器具は、第１の電子モジュールの第１の回路基板が、ボディに形成された第１のラグ及び第２のラグにより支持されることで、支持部材を設置しなくても、組み立てることができる。そのため、配線器具の全体のサイズを小型化することができる。捕捉そのため、産業上の利用可能性がある。
【符号の説明】
【００６８】
１００  配線器具
１  ハウジング
１０  収容空間
１１  ボディ
１１１  第１の支持部
１１２  第２の支持部
１２  カバー
１２１  カバー本体
１２１ａ  挿通孔
１２１ｂ  第２の接合縁
１２１ｃ  差込溝
１２２  第１の押さえリブ
１２３  第２の押さえリブ
１２４  静電防止リブ
１２５  組立片
１２５ａ  組立孔
１２６  第１のカバー側壁
１２７  第２のカバー側壁
１２８  カバー接続壁
１２９  頂壁
１３  ベース
１３１  第１のボディ側壁
１３１ａ  収容溝
１３２  第２のボディ側壁
１３３  第１のボディ接続壁
１３４  第２のボディ接続壁
１３５  第１の接合縁
１３６  仕切り壁
１３７  第１の収納部
１３８  第２の収納部
１３９  第１の位置決め溝
１３９´  第２の位置決め溝
１４  第１のラグ
１４１  ガイド部
１５  第２のラグ
１６  第１の補強リブ
１７  第２の補強リブ
１８  係合溝
１９  係合ブロック
２  第１の電子モジュール
２１  第１の回路基板
２１１  メイン基板
２１２  係合ブロック
２１３  切り込み
２２  コネクタ
２３  電子部品
３  第２の電子モジュール
３１  第２の回路基板
３２  電子部品
４  第３の電子モジュール
４１  第３の回路基板
４２  導電端子
Ｄ  所定の方向
【図１】
2020158781.tif 000003
【図２】
2020158781.tif 000004
【図３】
2020158781.tif 000005
【図４】
2020158781.tif 000006
【図５】
2020158781.tif 000007
【図６】
2020158781.tif 000008
【図７】
2020158781.tif 000009
【図８】
2020158781.tif 000010
【図９】
2020158781.tif 000011
【図１０】
2020158781.tif 000012
【図１１】
2020158781.tif 000013
【図１２】
2020158781.tif 000014
【国際調査報告】
2020158781.tif 000015
2020158781.tif 000016
2020158781.tif 000017
2020158781.tif 000018